(57)【要約】【課題】ワンタッチで開口でき、キャップとスパウトとを一体に成形するワンピース口栓を提供する。【解決手段】キャップ１００　の下端外周面とスパウト２００　の上端内周面とを環状薄肉脆弱帯３００　で接続した合成樹脂製のワンピース口栓１０であって、キャップの周壁部１２０　上端外周面に複数個の回転用突起１２１　を周方向に等間隔で突設し、この回転用突起の下方周壁部外周面にインナー封止リング１２２　を設け、このインナー封止リングの下方周壁部外周面にスパウトとの雄ネジ１２３　を設け、かつスパウトの注出筒部２２０　の内周面にキャップとの雌ネジ２２１　を設ける。【選択図】図１
2004083090.tif 000002
【特許請求の範囲】
【請求項１】
キャップの下端外周面とスパウトの上端内周面とを、環状脆弱線を有する環状薄肉帯で接続した合成樹脂製のワンピース口栓であって、前記キャップの周壁部上端外周面に複数個の回転用突起を周方向に等間隔で突設し、該回転用突起の下方周壁部外周面にインナー封止リングを設け、該インナー封止リングの下方周壁部外周面に前記スパウトとの雄ネジを設け、かつ前記スパウトの注出筒部の内周面に前記キャップとの雌ネジを設けたことを特徴とするワンピース口栓。
【請求項２】
前記環状薄肉帯の環状脆弱線を、前記スパウトの上端内周面に隣接する位置に設けたことを特徴とする請求項１記載のワンピース口栓。
【請求項３】
前記雄ネジ及び前記雌ネジを、二条ネジにしたことを特徴とする請求項１又は２記載のワンピース口栓。
【発明の詳細な説明】
【０００１】
【発明の属する技術分野】
本発明は、液体用紙容器などの容器の注出位置に突設するキャップとスパウトとが、使用時に分離可能に一体となっているワンピース口栓に関するものである。
【０００２】
【従来の技術】
従来、食品や非食品の液体内容物に使用される例えば液体用紙容器には、使用時の使い易さを考慮して、図３（ａ）に示すように、切り妻屋根形の頂部の傾斜板（２２）に、キャップ（１００）とスパウト（注出口具）（２００）とからなる口栓（１０）が突設されていた。この口栓（１０）は、例えば図３（ｂ）に示すように、容器の口栓取付孔（２３）から突出するスパウト（２００）の注出筒部（２２０）にキャップ（１００）を螺着したものであるが、流通時の密封性の完全さやバージン性を確保又は使用時の易開封性を兼ね備えるために、スパウトの注出筒部の内側の下方内周面に封鎖板（２３０）を設けて封止し、使用時に開口するため、この封鎖板の下面の所定位置に垂直断面逆Ｖ字状の環状切込み（２３１）を設けて、上面の開口予定位置に環状薄肉脆弱線（２３２）を形成し、この環状薄肉脆弱線の内側近傍の上面の所定の一側に、先端にプルリング（２３４）をもつ支柱（２３３）を立設した、所謂、プルリング付の口栓であった。なお、キャップの天板（１１０）下面には、スパウトの注出筒の上端部（口部）を封止するための封止リングとして、コンタクト封止リング（１１１）（先端部が注出筒の天面に密接）やインナー封止リング（１１２）（外周面が注出筒の上端部内面に密接）が垂設され、また、キャップの周壁内周面には、雌ネジ（１２４）が設けられ、スパウトの注出筒外周面には雄ネジ（２２２）が設けられいた。
【０００３】
【発明が解決しようとする課題】
ところで、上述した図３（ｂ）に示す従来のプルリング付の口栓（１０）は、口栓を開口するときには、キャップ（１００）を螺脱方向へ回転して取り外し、スパウト（２００）の注出筒部（２２０）の内側に収容されているプルリング（２３４）に指先を掛けて上方へ引っ張って、封鎖板（２３０）の環状薄肉脆弱線（２３２）を引き裂いて開口していた。開口したスパウトは、内容物を使用したのちに、キャップを注出筒部に螺着して再封止していた。しかしながら、従来の口栓は、キャップとスパウトの２パーツからなるため製造費用がかかり、また、口栓の開口過程がワンタッチでなく手間がかかった。
【０００４】
本発明は、上述の従来の口栓の問題を解決したものであり、ワンタッチで開口でき、キャップとスパウトとを一体に成形するワンピース口栓を提供するものである。
【０００５】
【課題を解決するための手段】
すなわち、本発明の第１の発明は、キャップの下端外周面とスパウトの上端内周面とを、環状脆弱線を有する環状薄肉帯で接続した合成樹脂製のワンピース口栓であって、前記キャップの周壁部上端外周面に複数個の回転用突起を周方向に等間隔で突設し、この回転用突起の下方周壁部外周面にインナー封止リングを設け、該インナー封止リングの下方周壁部外周面に前記スパウトとの雄ネジを設け、かつ前記スパウトの注出筒部の内周面に前記キャップとの雌ネジを設けたことを特徴とするワンピース口栓である。
【０００６】
次に、本発明の第２の発明は、前記環状薄肉帯の環状脆弱線を、前記スパウトの上端内周面に隣接する位置に設けたことを特徴とする第１の発明に記載のワンピース口栓である。
【０００７】
そして、本発明の第３の発明は、前記雄ネジ及び前記雌ネジを、二条ネジにしたことを特徴とする第１又は第２の発明に記載のワンピース口栓である。
【０００８】
【発明の実施の形態】
次に、本発明のワンピース口栓の実施の形態について、図を用いて詳細に説明する。
図１（ａ）は、一実施形態のワンピース口栓の断面図であり、図１（ｂ）は、分離したキャップをスパウトに螺着して再封止したときの断面図である。図２（ａ）は、そのワンピース口栓の平面図で、図２（ｂ）は、正面図である。
【０００９】
本実施形態の口栓（１０）は、図１（ａ）、図２（ａ）及び（ｂ）に示すように、キャップ（１００）の下端外周面とスパウト（２００）の上端内周面とを、環状脆弱線を有する環状薄肉帯（３００）で接続した合成樹脂製のワンピース口栓である。キャップは、天板部（１１０）と周壁部（１２０）とからなり、周壁部は、上端外周面に通常４個の回転用突起（１２１）を周方向に等間隔で突設し、この回転用突起の下方外周面にインナー封止リング（１２２）を設け、このインナー封止リングの下方外周面に雄ネジ（１２３）を設けるものである。スパウトは、環状台座部（２１０）の内周側上方へ注出筒部（２２０）を立設し、この注出筒の内周面にキャップの雄ネジと螺合する雌ネジ（２２１）を設けるものである。また、環状台座部の外周面には、下端に容器と熱融着するためにフランジ（２４０）を水平方向へ周設し、このフランジ上方に容器に取り付けるときに必要となる通常４個の仮止め突起（２１１）を周方向に等間隔で突設するものである。口栓の製造方法は、低密度ポリエチレンなどの熱可塑性樹脂を用いて、キャップとスパウトを一体に射出成形法により作製するものである。
【００１０】
なお、上述の環状薄肉帯については、環状脆弱線（片面に切込みなどを設けて他より薄肉にする）をスパウトの上端内周面に隣接する位置に設けて、口栓を開封するために回転用突起によりキャップを回転したときに、スパウトの上端内周面位置で環状薄肉帯の環状脆弱線が破断され、環状薄肉帯がキャップの下端外周面に付着してスパウトから分離するようにするものである。
【００１１】
また、キャップの周壁部外周面に設ける雄ネジ及びスパウトの注出筒部の内周面に設ける雌ネジは、回転を少なくまた螺合状態を安定にするために、二条ネジにすると良い。
【００１２】
本発明のワンピース口栓は、キャップの周壁部上端外周面に突設する回転用突起に指をかけて回転すると、キャップの下端外周面とスパウトの上端内周面とを接続する環状薄肉帯のスパウトの上端内周面隣接位置に設けられている環状薄肉脆弱線が破断し、キャップがスパウトから分離し、口栓をワンタッチで開封することができる。分離したキャップ（１００）は、図１（ｂ）に示すように、スパウト（２００）の注出筒部（２２０）内周面に設けられた雌ネジ（２２１）に、周壁部（１２０）外周面に設けられた雄ネジ（１２３）を螺合させて、スパウトに螺着することができるため、キャップをスパウトに螺着して、口栓（１０）を再封止することができる。なお、環状脆弱線が破断された環状薄肉帯（３０１）は、キャップの下端外周面に残るため、キャップをスパウトに螺着して再封止したときに、キャップの周壁部外周面上方に設けられているインナー封止リング（１２２）の外周面が、スパウトの注出筒部の先端部内周面にしかりと密着し、口栓の密封性に問題を生じることがない。また、キャップの下端外周面に付着する環状薄肉帯は、スパウトに隠され外から見えないので、外観性を損なうこともない。
【００１３】
図１（ａ）に示すように、キャップ（１００）の周壁部（１２０）の回転用突起（１２１）下に逃げリング（１２５）を設けることで、環状薄肉脆弱線（２３２）がスパウト（２００）内側のコーナーに残った場合でも密封性に影響しないようにしている。また、スパウトの天面にコンタクト封止リング（２２３）を設けることで、スパウト（２００）の天面でも密封することと、開閉初期のトルクを低減することが可能となっている。
【００１４】
【発明の効果】
本発明のワンピース口栓は、キャップとスパウトとを一体に成形するため、キャップとスパウトとを別個に成形する従来の口栓に比べて、製造費用を削減することが可能である。
【００１５】
また、本発明のワンピース口栓は、キャップを周壁部上端外周面に突設する回転用突起により回転することにより、キャップをスパウトから分離して、口栓をワンタッチで開口でき、開口過程に手間がかからず、また、分離したキャップを再度スパウトに螺着して、口栓を再封止することができる。
【図面の簡単な説明】
【図１】（ａ）は、本発明の一実施形態のワンピース口栓の断面図であり、（ｂ）は、分離したキャップをスパウトに螺着して再封止した状態を示す断面図である。なお、２点鎖線は、容器を示す。
【図２】（ａ）は、図１（ａ）に示すワンピース口栓の平面図であり、（ｂ）は、正面図である。
【図３】（ａ）は、一例の口栓付液体用紙容器の斜視図であり、（ｂ）は、従来の一例のプルリング付口栓の構造を示す断面図である。
【符号の説明】
１０……口栓
２０……容器
２１……胴部
２２……傾斜板
１００……キャップ
１１０……天板部
１１１，２２３……コンタクト封止リング
１１２，１２２……インナー封止リング
１２０……周壁部
１２１……回転用突起
１２３，２２２……雄ネジ
１２４，２２１……雌ネジ
１２５……逃げリング
２００……スパウト
２１０……環状台座部
２１１……仮止め突起
２２０……注出筒部
２２３……天面コンタクトリング
２３０……閉鎖板
２３１……環状切込み
２３２……環状薄肉脆弱線
２３３……支柱
２３４……プルリング
２４０……フランジ
３００……環状薄肉帯
３０１……破断された環状薄肉帯
【図１】
2004083090.tif 000003
【図２】
2004083090.tif 000004
【図３】
2004083090.tif 000005